(57)【要約】【課題】  非常通報システムにおける無線センサに非常通報の機能を持たせる。【解決手段】  異常を検出するセンサ６２と、非常通報時に操作される文字板７６と、この文字板７６が操作されたとき、反転するとともに、その反転状態を保持するスナップアクションばね７１とを設ける。スナップアクションばね７１に連動して制御されるスイッチ６６と、スナップアクションばね７１の状態を表示する透孔７５と、スナップアクションばね７１を復帰させるための透孔７８とを設ける。センサ６２およびスイッチ６６の出力が供給される制御回路と、この制御回路の出力を電波により通報装置に送信する送信回路とを設ける。制御回路は、センサ６２が異常を検出したとき、センサ６２の検出した異常を示す情報と自機を識別する情報とを送信回路に出力し、文字板７６が操作されたとき、スイッチ６６出力に基づく情報と自機を識別する情報とを送信回路に出力する。【選択図】  図２
2007086882.tif 000002
【特許請求の範囲】
【請求項１】
異常を検出するセンサ手段と、
非常通報時に操作される操作手段と、
この操作手段に連動し、この操作手段が操作されたとき、一の状態から他の状態に機械的に反転するとともに、その反転状態を保持する双安定手段と、
この双安定手段に連動して制御されるスイッチと、
上記双安定手段が上記一の状態であるか上記他の状態であるかを表示する表示手段と、
上記双安定手段を上記他の状態から上記一の状態に復帰させるための復帰手段と、
上記センサ手段のセンサ出力および上記スイッチのスイッチ出力が供給される制御回路と、
この制御回路の出力を電波により通報装置に送信する送信回路と
を有し、
上記センサ手段が上記異常を検出したとき、上記制御回路は、上記センサ手段の検出した異常を示す情報と自機を識別する情報とを上記送信回路に出力し、
上記操作手段が操作されたとき、上記制御回路は、上記スイッチ出力に基づく情報と上記自機を識別する情報とを上記送信回路に出力する
ようにした無線センサ。
【請求項２】
請求項１に記載の無線センサにおいて、
上記復帰手段が操作されたか否かを示す手段
を有する無線センサ。
【請求項３】
請求項１に記載の無線センサにおいて、
上記操作手段は、操作子と、この操作子と上記双安定手段との間を連結するひもとされ、
上記双安定手段は、上記一の状態では上向きに凸で、上記他の状態では下向きに凸のスナップアクションばねとされ、
上記表示手段は、上記スナップアクションばねが上記他の状態にあるとき、その前部の視認を可能とする第１の透孔とされ、
上記復帰手段は第２の透孔とされ、
上記第１の透孔を通じて上記スナップアクションばねの前部の視認が可能か否かによって上記操作子が操作されたか否かを判別可能にした
ことを特徴とする無線センサ。
【請求項４】
請求項３に記載の無線センサにおいて、
上記第２の透孔を塞ぐ封印手段
を有する無線センサ。
【発明の詳細な説明】
【技術分野】
【０００１】
この発明は、非常通報システムにおける無線センサに関する。
【背景技術】
【０００２】
一般に、非常通報システムは、侵入者や出火などの異常を検出したとき、これを電話回線などを通じてあらかじめ設定されている通報先、例えば警備会社に通報するように構成されている。図８は、そのような非常通報システムの一例を全体として示すもので、これは、複数の無線センサ１０と、複数の携帯ペンダント２０と、通報装置３０とから構成されている。
【０００３】
無線センサ１０は、侵入者や出火などの異常を検出すべき任意の場所に設置される。そして、無線センサ１０は、異常を検出すると、その異常の種類を示すデータおよび無線センサ１０を識別するための識別コードを、電波により通報装置３０に送信する。また、携帯ペンダント２０は、押しボタン２１を操作すると、この操作を示すデータおよび携帯ペンダント２０を識別するための識別コードを、電波により通報装置３０に送信する。
【０００４】
さらに、通報装置３０は、無線センサ１０あるいは携帯ペンダント２０が送信した情報を受信し、この情報を、あらかじめ設定されている通報先、例えば警備会社に電話回線４０などを通じて通報するものである。また、通報装置３０は、本体自体に非常通報ボタン３１を有するとともに、ケーブルを通じて複数の非常通報ボタン３１が接続されている。さらに、通報装置３０は、この非常通報システムによる警戒を実行あるいは解除するための警戒スイッチ３２を有する。
【０００５】
そして、警戒スイッチ３２が「警戒モード」に設定されている場合には、無線センサ１０が異常を検出すると、上記のようにその情報が通報装置３０により受信され、異常の発生したことが警備会社に通報される。一方、警戒スイッチ３２が「非警戒モード」に設定されている場合には、携帯ペンダント２０からの情報を通報装置３０が受信すると、あるいは非常通報ボタン３１が操作されると、これが通報装置３０から警備会社に通報される。
【０００６】
なお、先行技術文献として例えば以下のものがある。
【特許文献１】特開２００５−１９００３３号公報
【発明の開示】
【発明が解決しようとする課題】
【０００７】
ところで、警備会社では、非警戒モードでの通報が行われた場合、すなわち、携帯ペンダント２０の押しボタン２１あるいは非常通報ボタン３１が操作されて通報が行われた場合、この通報に対して係員を通報側に派遣したり、通報側に電話で連絡を入れるようにしている。
【０００８】
ところが、この通報が誤報のことがある。その原因として、例えば、携帯ペンダント２０の押しボタン２１を使用者が無意識のうちに操作している場合がある。しかし、この場合、携帯ペンダント２０の押しボタン２１を操作しても、携帯ペンダント２０には、その操作の痕跡や記録が残らないので、通報が原因不明として処理されてしまう。
【０００９】
その点、非常通報ボタン３１は保護カバーで覆われていて、その保護カバーを壊してから操作する必要があるので、操作の記録が残り、上記のような不都合は生じない。しかし、非常通報ボタン３１で携帯ペンダント２０の代わりをするには、多数個を設置する必要があり、非常通報ボタン３１と通報装置３０との間の接続ケーブルの引き回しを考慮する必要がある。
【００１０】
この発明は、以上のような問題点を解決しようとするものである。
【課題を解決するための手段】
【００１１】
この発明においては、
異常を検出するセンサ手段と、
非常通報時に操作される操作手段と、
この操作手段に連動し、この操作手段が操作されたとき、一の状態から他の状態に機械的に反転するとともに、その反転状態を保持する双安定手段と、
この双安定手段に連動して制御されるスイッチと、
上記双安定手段が上記一の状態であるか上記他の状態であるかを表示する表示手段と、
上記双安定手段を上記他の状態から上記一の状態に復帰させるための復帰手段と、
上記センサ手段のセンサ出力および上記スイッチのスイッチ出力が供給される制御回路と、
この制御回路の出力を電波により通報装置に送信する送信回路と
を有し、
上記センサ手段が上記異常を検出したとき、上記制御回路は、上記センサ手段の検出した異常を示す情報と自機を識別する情報とを上記送信回路に出力し、
上記操作手段が操作されたとき、上記制御回路は、上記スイッチ出力に基づく情報と上記自機を識別する情報とを上記送信回路に出力する
ようにした無線センサ
とするものである。
【発明の効果】
【００１２】
この発明によれば、従来の無線センサや非常通報ボタンと同様に機能させることができる。また、ケーブルの引き回しを考慮する必要がないので、多数の無線センサを設置することができ、この結果、無線センサを携帯ペンダントの代わりにすることができる。
【００１３】
そして、一度、非常通報の操作をすると、透孔を通じて見える色が変化するので、この色の変化により、誤報があったとき、これが操作ミスによるものかシステムのトラブルによるものであるかを判別することができる。
【００１４】
また、非常通報の操作をしたのち、これを平常状態に復帰させる場合には、細い棒を差し込んでスナップアクションばねを下から押し上げればよく、容易に平常状態に復帰させることができる。さらに、このとき、シールに孔が開くことにより、復帰の操作の行われたことが記録・判別される。
【発明を実施するための最良の形態】
【００１５】
ところで、従来の無線センサ、特にパッシブセンサは異常を確実に検出できるように、また、誤検出を生じないようにするため、一般に通路や部屋の天井に取り付けられていた。しかし、近年、無線センサの改良が進み、無線センサを壁や窓などに取り付けることができるように、つまり、手の届く場所に設置することができるようになっている。
【００１６】
そこで、この発明においては、無線センサに非常通報ボタンの機能を持たせるようにするとともに、特にその構成に格別の工夫をするようにしたものである。
【００１７】
以下、この発明による無線センサの一形態について、図１〜図６により説明する。図１は、その無線センサの外観を示す斜め左下から見た斜視図であり、符号５０はこの発明による無線センサを示す。この無線センサ５０は、そのケース５１が、樹脂製の皿状の後部ベース５２および前面カバー５３により構成されるとともに、全体が偏平の直方体状となるように組み立てられている。
【００１８】
そして、前面カバー５３の前面上部には、例えばポリエチレン樹脂により形成されるとともに、複数の視野角に分割構成されたフレネルレンズ５４が設けられ、前面下部には電池蓋５５がはめ込まれている。また、詳細は後述するが、ケース５１の下面からは、引っ張りひも７７が引き出され、これに文字板７６が連結されている。
【００１９】
さらに、図２は、無線センサ５０の前面カバー５３を外した状態の正面図、図３はその縦断面図、図４はその底面図である。これらの図にも示すように、後部ベース５２の基部には、この無線センサ５０を壁面などにネジ止めするための透孔５６Ａ、５６Ｂが形成されている。
【００２０】
また、後部ベース５２の内部には、その下部を除く範囲にプリント配線基板６１が設けられている。このプリント配線基板６１のうち、フルネルレンズ５４と対向する中央には、異常を検出するセンサとして焦電センサ６２が設けられ、中央付近には、この無線センサ５０を構成する回路ブロック６３が設けられ、下部には、電池６４の接点６５Ａ、６５Ｂが設けられている。
【００２１】
さらに、プリント配線基板６１は、後部ベース５２の下部を除く範囲の大きさとされているので、その下部を除く範囲は空間となっているが、ここに＜状の壁部５７Ａおよび＞状の壁部５７Ｂが後部ベース５２と一体に形成されている。そして、この壁部５７Ａ、５７Ｂの間に、双安定手段として可撓性を有する樹脂により形成された板状のスナップアクションばね７１が支持されている。
【００２２】
このとき、スナップアクションばね７１は、上向きに凸となるようにその両端が壁部５７Ａ、５７Ｂのへこみによりアーチ状に支持されている。また、このスナップアクションばね７１の下面の中央には、凸部７２が一体に形成されるとともに、この凸部７２には、図３にも示すように、スナップアクションばね７１の長さ方向（左右方向）に貫通する透孔７３が形成されている。また、凸部７２の前面７２Ｆは、例えば赤色に着色されている。
【００２３】
さらに、図４にも示すように、後部ベース５２の下面の中央部５２Ａは、スナップアクションばね７１の中心付近まで凹字状とされるとともに、前面カバー５３下面の中央部５３Ａは凸字状とされている。そして、これら凹字状中央部５２Ａおよび凸字状中央部５３Ａの対向部分の中央には、下方に向かう凸部５２Ｂ、５３Ｂがそれぞれ一体に形成されるとともに、凸部５２Ｂと５３Ｂとの対向面には上下方向に向かう溝が形成され、この溝により透孔７４が構成されている。さらに、凸部５３Ｂの前部には透孔７４に通じる透孔７５が形成されている。
【００２４】
そして、透孔７４を通じて、スナップアクションばね７１の透孔７３と文字板７６の透孔との間に、引っ張りひも７７がリング状に巡らされている。なお、引っ張りひも７７は、スナップアクションばね７１の前面７２Ｆの色、この例においては、赤色とは確実に判別のできる色、例えば白色とされる。また、文字板７６には、非常の場合、この文字板７６を引くことを示す例えば「非常」の文字が印刷あるいは刻印されている。
【００２５】
さらに、後部ベース５２の凹字状中央部５２Ａと、前面カバー５３の凸字状中央部５３Ａとの対向部分のうち、凸部５２Ｂ、５３Ｂに近接した位置に透孔７８が形成されている。なお、この透孔７８は、シール７９により封印されている。
【００２６】
また、図２および図３に示すように、プリント配線基板６１の下端に、検知スイッチ６６が設けられるとともに、この検知スイッチ６６のアクチュエータがスナップアクションばね７１の上面により押圧され、この押圧により検知スイッチ６６はオンとされている。そして、この検知スイッチ６６は、例えば図６に示すように、無線センサ５０の制御回路８２に接続される。
【００２７】
すなわち、図６は、無線センサ５０の回路構成の一形態を示す。そして、この無線センサ５０は、センサ部８１と、このセンサ部８１の検出出力にしたがって所定の処理を行う制御回路８２と、異常の発生したことを通報装置３０に通知する送信回路８３とから構成されている。
【００２８】
この場合、センサ部８１は、侵入者や出火などの異常を検出するものであり、上述の焦電センサ６２が含まれる。また、制御回路８２は、センサ部８１が異常を検出したとき、その異常の種類を示すデータや無線センサ５０を識別するための識別コードなどの情報を送信回路８３に供給するものである。また、送信回路８３は、制御回路８２から供給された情報を電波により通報装置３０に送信するものである。
【００２９】
さらに、制御回路８２には、上記のように検知スイッチ６６が接続され、制御回路８２は、検知スイッチ６６がオンからオフになったとき、これを示すデータおよびこの無線センサ５０を識別するための識別コードなどの情報を送信回路８３に供給する。なお、この制御回路８２および送信回路８３は、上述の回路ブロック６３に含まれる。
【００３０】
このような構成において、無線センサ５０は異常を検出すべき任意の場所であって警備員などが異常を発見したときに操作しやすい任意の場所に設置される。この場合、無線センサ５０は、透孔５６Ａ、５６Ｂを通じて壁や柱などにねじ止めすることにより、あるいは両面テープを用いて窓などに張り付けることにより、設置することができる。
【００３１】
そして、無線センサ５０のうちの任意の無線センサ５０ｉにおいて、センサ部８１が異常を検出すると、その検出出力にしたがって制御回路８２により送信回路８３の送信が許可されるとともに、異常の種類および無線センサ５０ｉの識別コードが制御回路８２から送信回路８３に供給されて送信される。この結果、その異常の種類および識別コードが通報装置３０により受信される。
【００３２】
すると、通報装置３０は、異常の発生したことを電話回線４０を通じて警備会社に通報する。したがって、今の場合、図８に示す一般の非常通報システムと同様の通報が実行されたことになる。
【００３３】
一方、警備員などが異常を発見したとき、近くにある無線センサ５０ｉの文字板７６を下方向に引くと、引っ張りひも７７を通じてスナップアクションばね７１の中央が下方向に引かれるので、スナップアクションばね７１は、図５Ａの状態から図５Ｂの状態に反転するとともに、この反転状態が保持される。なお、図５はプリント配線基板６１を図示しない状態であり、図５Ａは図２〜図４の状態と同じである。また、図５Ｂの状態では、凸部７２は透孔７４内に位置するが、凸部７２の下端（先端）が凸部５２Ｂ、５３Ｂの下端から突出しないように、その凸部５２Ｂ、５３Ｂの突出長が設定されている。
【００３４】
すると、このとき、スナップアクションばね７１は、検知スイッチ６６のアクチュエータから離れるので、検知スイッチ６６はそれまでのオンからオフになり、これが制御回路８２において判別される。この結果、無線センサ５０ｉの文字板７６が引かれたことを示すデータおよびこの無線センサ５０ｉを識別するための識別コードなどの情報が送信回路８３に供給され、センサ部８１が異常を検出した場合と同様にして通報装置３０へと送信される。
【００３５】
そして、通報装置３０は、無線センサ５０ｉからの情報を受信すると、無線センサ５０ｉの文字板７６が操作されたことを電話回線４０を通じて警備会社に通報する。したがって、今の場合、図８に示す一般の非常通報システムにおいて、非常通報ボタン３１を操作した場合と同様の通報が実行されたことになる。なお、このとき、スナップアクションばね７１は、図５Ｂの反転状態を保持している。
【００３６】
こうして、上述の無線センサ５０によれば、これを従来の無線センサ１０や非常通報ボタン３１と同様に機能させることができる。また、無線センサ５０はケーブルの引き回しを考慮する必要がないので、多数の無線センサ５０を設置することができ、この結果、無線センサ５０を携帯ペンダント２０の代わりとすることができる。
【００３７】
そして、携帯ペンダント２０では、その押しボタン２１を使用者が無意識のうちに操作したとき、その記録が残らないので、誤報が原因不明として処理されてしまうが、上述の無線センサ５０によれば、そのような処理のされることを防ぐことができる。
【００３８】
すなわち、文字板７６が引かれていないとき（平常時）には、図５Ａに示すように、スナップアクションばね７１が上方向に凸になっているので、このとき、凸部５３Ｂの透孔７５を通じて引っ張りひも７７が「白く」見えることになる。しかし、文字板７６を引いたとき（非常通報時）には、図５Ｂに示す反転状態が保持されるが、この反転状態では、スナップアクションばね７１の凸部７２が、凸部５３Ｂの透孔７４の内部に位置することになり、凸部７２の前面７２Ｆが、透孔７５を通じて「赤く」に見えることになる。また、この状態はスナップアクションばね７１により保持されている。
【００３９】
つまり、一度、文字板７６が引かれると、透孔７５を通じて見える色が白色から赤色に変化し、この色の変化により通報の操作がされたことの記録が残ることになる。したがって、誤報があったとき、これが操作ミスによるものかシステムのトラブルによるものであるかを判別することができ、誤報が原因不明として処理されることを防止できる。
【００４０】
また、文字板７６を引いて非常通報をしたのち、これを平常状態に復帰させる場合には、シール７９の上から透孔７８に細い棒を差し込み、これによりスナップアクションばね７１を下から押し上げればよく、したがって、容易に平常状態に復帰させることができる。また、このとき、シール７９に孔が開くので、復帰の操作の行われたことが記録され、判別できる。
【００４１】
さらに、前面カバー５３を外した状態では、透孔７４が後部ベース５２と前面カバー５３とに分割されるので、無線センサ５０の組み立て時、スナップアクションばね７１の透孔７３と、文字板７６の透孔との間に引っ張りひも７７をリング状に巡らしておき、そのスナップアクションばね７１、引っ張りひも７７および文字板７６を、図２に示すように後部ベース５２に置いて前面カバー５３をかぶせればよく、組み立てが簡単である。
【００４２】
図７は、この発明による無線センサ５０の他の形態を示す正面図であり、この無線センサ５０においては、非常通報時に文字板７６を引く代わりに、非常通報ボタン９１を押すように構成した場合である。すなわち、非常通報ボタン９１が円盤状に形成されるとともに、このボタン９１には棒状のアクチェータ９２が一体に形成され、このアクチェータ９２が後部ベース５２の右側壁の透孔を貫通した状態で摺動自在に配置される。
【００４３】
また、アクチェータ９２にはつば部９３が一体に形成され、このつば部９３と後部ベース５２との間に、コイルばね９４が設けられ、部材９１〜９３は右方向に偏倚されている。なお、このとき、後部ベース５２には凸部９５が形成され、この凸部９５によりアクチェータ９２の摺動位置および範囲が規制されている。
【００４４】
さらに、逆Ｌ字状のアーム９６が軸９７を中心に回動自在に設けられるとともに、アーム９６の一方の脚部がアクチェータ９２の先端に対接され、他方の脚部が検知スイッチ６６のアクチュエータとスナップアクションばね７１との間に介在されている。なお、図示はしないが、非常通報ボタン９１の操作面（図７における右側の面）には、例えば「非常」の文字が印刷あるいは刻印されている。また、凸部５３Ｂに透孔７５が形成されるが、凸部５２Ｂ、５３Ｂの下端は塞がれて透孔７４は凹部とされている。
【００４５】
このような構成によれば、平常時は、コイルばね９４により非常通報ボタン９１およびアーム９６は図の状態にあり、このとき、検知スイッチ６６はオンである。しかし、非常通報時、非常通報ボタン９１を押すと、アーム９６が軸９７を中心にして反時計方向に回動するので、これによりスナップアクションばね７１の中央上部が押され、スナップアクションばね７１は図５Ｂと同様の反転状態になるとともに、この反転状態が保持される。したがって、このとき、検知スイッチ６６がオンかオフになり、非常通報ボタン９１の押されたことが通報される。
【００４６】
そして、この無線センサ５０においても、一度、非常通報ボタン９１が押されると、透孔７５を通じて見える色が変化し、この色の変化により通報の操作がされたことの記録が残ることになる。
【００４７】
また、非常通報ボタン９１を押して非常通報をしたのち、これを平常状態に復帰させる場合には、シール７９の上から透孔７８に細い棒を差し込み、これによりスナップアクションばね７１を下から押し上げればよい。このとき、シール７９に孔が開くので、復帰の操作の行われたことが記録され、判別できる。
【００４８】
なお、上述において、スナップアクションばね７１および凸部７２を、引っ張りひも７７あるいは後部ベース５２とは異なる色の樹脂により形成すれば、凸部７２の前面７２Ｆを着色する工程を省くことができる。
【図面の簡単な説明】
【００４９】
【図１】この発明による無線センサの外観の一形態を示す斜視図である。
【図２】図１に示す無線センサの内部を示す正面図である。
【図３】図１に示す無線センサの内部を示す縦断面図である。
【図４】図１に示す無線センサの底面図である。
【図５】この発明を説明するための図である。
【図６】図１に示す無線センサの回路の一形態を示す系統図である。
【図７】この発明による無線センサの内部の他の形態を示す正面図である。
【図８】この発明を説明するための図である。
【符号の説明】
【００５０】
５０…無線センサ、５１…ケース、５４…フレネルレンズ、６２…焦電センサ、６６…検知スイッチ、７１…スナップアクションばね、７５…透孔、７６…文字板、７７…引っ張りひも、７９…シール
【図１】
2007086882.tif 000003
【図２】
2007086882.tif 000004
【図３】
2007086882.tif 000005
【図４】
2007086882.tif 000006
【図５】
2007086882.tif 000007
【図６】
2007086882.tif 000008
【図７】
2007086882.tif 000009
【図８】
2007086882.tif 000010